(57)【特許請求の範囲】
【請求項１】
被検体内に分布する放射性薬剤が発する一対の放射線を検出する検出器が弧状に配列されて構成される検出器リングと、
被検体内における放射線の吸収を示すトランスミッション画像を生成する際、被検体の外部から放射線を前記検出器リングの内壁に向けて照射する放射線源と、
前記検出器リングの中心軸を前記検出器リングから突出させて伸ばした延長線上の位置よりも前記検出器リングの径方向にシフトしたシフト位置に前記放射線源を支持することにより、前記放射線源を前記検出器リングとともに被検体の体幹部を挟む位置に配置させる支持手段と、
前記支持手段を回転させることにより、前記放射線源を中心軸周りに回転させる回転手段と、
前記回転手段を制御する回転制御手段とを備えることを特徴とする乳房検診用放射線断層撮影装置。
【請求項２】
請求項１に記載の乳房検診用放射線断層撮影装置において、
前記検出器リングを前記放射線源に対して中心軸方向に移動させる移動手段と、
前記移動手段を制御する検出器リング移動制御手段と、
前記中心軸に対する前記放射線源の放射線照射方向の傾斜の程度を変更する傾斜駆動手段と、
前記傾斜駆動手段を制御する傾斜制御手段とを備えることを特徴とする乳房検診用放射線断層撮影装置。
【請求項３】
請求項１または請求項２に記載の乳房検診用放射線断層撮影装置において、
前記放射線源を前記支持手段に対して前記検出器リングの径方向にシフトさせる線源シフト手段と、
前記線源シフト手段を制御する線源シフト制御手段とを備えることを特徴とする乳房検診用放射線断層撮影装置。
【請求項４】
請求項１ないし請求項３のいずれかに記載の乳房検診用放射線断層撮影装置において、
前記放射線源には、放射線の照射を遮断するシャッターが設けられていることを特徴とする乳房検診用放射線断層撮影装置。
【請求項５】
請求項１ないし請求項４のいずれかに記載の乳房検診用放射線断層撮影装置において、
前記支持手段が前記放射線源を回転させるときのカウンターバランスを備えていることを特徴とする乳房検診用放射線断層撮影装置。
【発明の詳細な説明】
【技術分野】
【０００１】
本発明は、乳房から照射される消滅放射線対を検出して、被検体内の放射性薬剤分布をイメージングする乳房検診用放射線断層撮影装置に係り、特に、がん検診用の乳房検診用放射線断層撮影装置に関する。
【背景技術】
【０００２】
医療機関には、放射線薬剤の分布をイメージングする放射線断層撮影装置が配備されている。この様な放射線断層撮影装置の具体的な構成について説明する。従来の放射線断層撮影装置は、放射線を検出する放射線検出器が円環状に並んで構成される検出器リングが備えられている。この検出器リングは、被検体内の放射性薬剤から照射される互いに反対方向となっている一対の放射線（消滅放射線対）を検出する。
【０００３】
この様な放射線断層撮影装置の一種として、乳房検診用の放射線断層撮影装置がある。この乳房検診用放射線撮影装置について具体的に説明する。図１１は、従来の乳房検診用放射線撮影装置について説明する図である。従来の乳房検診用放射線撮影装置５１では、検査に際し、被検体Ｍの乳房Ｂの片側が検出器リング６２に挿入される。この状態で、検出器リング６２は、被検体Ｍから照射される消滅放射線対を検出する。
【０００４】
検出器リング６２は、乳房Ｂから発せられた消滅放射線対の発生源を特定して、この位置情報を基に放射性薬剤の分布が生成される。放射性薬剤は、正常組織と比べがん組織により多く集積する性質があるので、放射性薬剤の分布図を診断すれば、乳がんの検診が行える。
【０００５】
検出器リング６２により消滅放射線対を検出するようにすると、分布図に被検体の構造に由来する影響が現れてしまう。この理由について説明する。被検体内で発生した消滅放射線対は、何ら吸収を受けず検出器リング６２に検出されるのが理想である。ところが、被検体は、もとより放射線を吸収する性質を有している。したがって、被検体内で発生した放射線の一部は、被検体自身によって吸収されてしまうのである。
【０００６】
検出器リング６２から取得された放射線検出に関するデータをそのまま消滅放射線対の発生状況を表すものと信じて放射線発生状況のイメージングを行うと、画像の所々で消滅放射線対の発生が実際よりも少なく見積もられてしまう。具体的には、被検体の内部ほど消滅放射線対の発生量が見かけ上少なくなってしまう。
【０００７】
従来構成によれば、この様な問題を解決する目的で、Ｘ線を被検体に透過させて被検体の構造を取得するＣＴユニットを備える。このＣＴユニットで取得される画像（トランスミッション画像）は、被検体内部のＸ線の透過しやすさがイメージングされている。このトランスミッション画像と検出器リング６２から取得されたデータを基に生成された被検体内で発生した放射線の分布を示すイメージ（エミッション画像）とを重ね合わせて１枚の画像を生成すれば、放射線の吸収の影響が考慮され、放射性薬剤の発生分布がより正しく取得できる（例えば、特許文献１参照）。
【先行技術文献】
【特許文献】
【０００８】
【特許文献１】特開２００９−１８３４４８号公報
【発明の概要】
【発明が解決しようとする課題】
【０００９】
しかしながら、従来構成によれば、次のような問題点がある。まず、従来構成のＸ線による被ばくが無視できない。ＣＴユニットによる撮影に起因する被ばくは抑制した方がよいのである。
【００１０】
次に放射線の差異の測定精度への影響である。すなわち、被検体内の放射性薬剤の分布をこれ以上正確に取得できないという問題点である。従来構成によれば、トランスミッション画像は、Ｘ線を用いて撮影される。一方、エミッション画像を取得するときに検出される放射線は、γ線であり、Ｘ線ではない。したがって、トランスミッション画像は、γ線がどのように被検体に内部で吸収されるかを表したものではなく、むしろ、Ｘ線が被検体内部で吸収される様子を表している。放射線が被検体内で吸収される様子は、放射線の線質によって異なるので、従来構成のトランスミッション画像は、エミッション画像の補正に最適であるとは言えない。
【００１１】
ということは、外部からγ線を照射してトランスミッション画像を取得すればよいということになる。この様な装置としては、γ線を照射する線源を検出器リング６２の内部に配置するものが一般的である。しかし、この様な構成とすると、確かにγ線の吸収状況を表したトランスミッション画像は取得できるようになるものの、別異の問題を招来する。
【００１２】
すなわち、検出器リング６２の内部に線源を配置させなければならない。この様な構成とすると、検出器リング６２の内径をより大きくしなければならなくなる。すると、装置の製造コストが増大する。検出器リング６２は、そもそも放射線検出器を円環状に配置することで構成される。検出器リング６２の内径を大きくすると、それだけ検出器リング６２を構成するのにより多くの放射線検出器が必要となるのである。
【００１３】
また、検出器リング６２の内径を大きくするとエミッション画像の画質が劣化する。この理由について説明する。消滅放射線対は、互いに反対方向に飛び去るのが理想である。しかし、実際の放射線の軌道は、反対方向から僅かにずれている。つまり、被検体内で発生した消滅放射線対は、検出器リング６２における理想の位置とは異なる位置に入射することになる。この位置ズレは、放射線の飛距離が長いほど大きくなる。したがって、検出器リング６２の内径が大きくなるほど、検出器リング６２における消滅放射線対の入射位置は、理想から大きく外れてしまう。これが検出器リング６２の内径を大きくするのに伴いエミッション画像の画質が劣化する理由である。
【００１４】
本発明は、この様な事情に鑑みてなされたものであって、その目的は、放射性薬剤の分布をより正確にイメージングすることができる乳房検診用放射線断層撮影装置を提供することにある。
【課題を解決するための手段】
【００１５】
本発明は上述の課題を解決するために次のような構成をとる。
すなわち、本発明に係る乳房検診用放射線断層撮影装置は、被検体内に分布する放射性薬剤が発する一対の放射線を検出する検出器が弧状に配列されて構成される検出器リングと、被検体内における放射線の吸収を示すトランスミッション画像を生成する際、被検体の外部から放射線を検出器リングの内壁に向けて照射する放射線源と、検出器リングの中心軸を検出器リングから突出させて伸ばした延長線上の位置よりも検出器リングの径方向にシフトしたシフト位置に放射線源を支持することにより、放射線源を前記検出器リングとともに被検体の体幹部を挟む位置に配置させる支持手段と、支持手段を回転させることにより、放射線源を中心軸周りに回転させる回転手段と、回転手段を制御する回転制御手段とを備えることを特徴とするものである。
【００１６】
［作用・効果］上述の構成によれば、検出器リングの中心軸の延長線上の位置よりも検出器リングの径方向にシフトしたシフト位置に放射線源が配置されている。このようにすることで、放射線源を検出器リングの外部に配置することができる。従来の放射線断層撮影装置の構成を乳房用放射線撮影装置に応用してトランスミッションデータを取得するようにすると、検出器リングの内部に放射線源を配置させなければならない。本発明によれば、検出器リングの内部に放射線源を配置する必要がないので、検出器リングの内径を小さくでき、製造コストが抑制されるとともに空間分解能が高い乳房用放射線撮影装置が提供できる。
【００１７】
また、上述の乳房検診用放射線断層撮影装置において、検出器リングを放射線源に対して中心軸方向に移動させる移動手段と、移動手段を制御する移動制御手段と、中心軸に対する放射線源の放射線照射方向の傾斜の程度を変更する傾斜駆動手段と、傾斜駆動手段を制御する傾斜制御手段とを備えればより望ましい。
【００１８】
［作用・効果］上述の構成は、本発明のより具体的な構成を示すものとなっている。すなわち、検出器リングが中心軸方向に移動可能となっているとともに、中心軸に対する放射線源の放射線照射方向の傾斜の程度を変更できる構成となっている。この様にすることで、トランスミッションデータ収集時において死角を無くすことができる。したがって、より確実にトランスミッションデータを取得できるようになる。
【００１９】
また、上述の乳房検診用放射線断層撮影装置において、放射線源を支持手段に対して検出器リングの径方向にシフトさせる線源シフト手段と、線源シフト手段を制御する線源シフト制御手段とを備えればより望ましい。
【００２０】
［作用・効果］上述の構成は、本発明のより具体的な構成を示すものとなっている。すなわち、放射線源を検出器リングの径方向にシフトできるようにすれば、放射線の照射方向の自由度がより向上するので、より確実にトランスミッションデータを取得できるようになる。
【００２１】
また、上述の乳房検診用放射線断層撮影装置において、放射線源には、放射線の照射を遮断するシャッターが設けられていればより望ましい。
【００２２】
［作用・効果］上述の構成は、本発明のより具体的な構成を示すものとなっている。放射線源に放射線の照射を遮断するシャッターを設けるようにすれば、被検体が無用に被曝することが抑制される。さらに、被検体内から発した消滅放射線を検出し、エミッションデータを収集するときに放射線源から発する放射線が確実に検出器リングに入射しないようにすることができる。
【００２３】
また、上述の乳房検診用放射線断層撮影装置において、支持手段が放射線源を回転させるときのカウンターバランスを備えていればより望ましい。
【００２４】
［作用・効果］上述の構成は、本発明のより具体的な構成を示すものとなっている。放射線源を回転させるときのカウンターバランスを設けるようにすれば、より簡単に放射線源を回転させることができる。
【発明の効果】
【００２５】
本発明によれば、検出器リングの中心軸方向から検出器リングに配列する位置よりも検出器リングの径方向にシフトしたシフト位置に放射線源が配置されている。このようにすることで、放射線源を検出器リングの外部に配置することができる。従来の放射線断層撮影装置の構成を乳房用放射線撮影装置に応用してトランスミッションデータを取得するようにすると、検出器リングの内部に放射線源を配置させなければならない。本発明によれば、検出器リングの内部に放射線源を配置する必要がないので、検出器リングの内径を小さくでき、製造コストが抑制されるとともに空間分解能が高い乳房用放射線撮影装置が提供できる。
【図面の簡単な説明】
【００２６】
【図１】実施例１に係る乳房検診用放射線撮影装置の構成を説明する機能ブロック図である。
【図２】実施例１に係る検出器リングの構成を説明する平面図である。
【図３】実施例１に係る放射線検出器の構成を説明する斜視図である。
【図４】実施例１に係る放射線源と検出器リングとの位置関係を説明する断面図である。
【図５】実施例１に係る放射線源が放射線を検出器リングに向けて照射する様子を説明する断面図である。
【図６】実施例１に係るアームの回動を説明する平面図である。
【図７】実施例１に係るアームの回動を説明する平面図である。
【図８】実施例１に係る検出器リングの移動を説明する断面図である。
【図９】実施例１に係る放射線源が放射線を検出器リングに向けて照射する様子を説明する断面図である。
【図１０】実施例１に係る乳房検診用放射線撮影装置の動作を説明するフローチャートである。
【図１１】従来構成の乳房検診用放射線撮影装置の構成を説明する断面図である。
【実施例１】
【００２７】
まず、実施例１に係る乳房検診用放射線撮影装置について説明する。乳房検診用放射線撮影装置１０は、図１に示すように、被検体Ｍを載置する天板８ａを支持する寝台８を有している。天板８ａには、円形の穴が設けられており、被検体Ｍの乳房Ｂのうちの１つを寝台８内部に導入できるようになっている。寝台８の内部には、天板８ａに設けられた穴を下側に延長するように乳房Ｂを導入させる円筒形の開口が設けられている。この開口は、寝台８の内部に設けられた検出器リング１２により構成されている。従って、検出器リング１２は、天板８ａに載置される被検体Ｍからみて下側に設けられている。
【００２８】
放射線源５は、被検体Ｍの上側に懸垂されて設けられている。放射線源５には、放射性セシウムが封入されており、被検体Ｍに向けてγ線を照射できるようになっている。放射線源５は、鉛直方向を中心軸とした円盤形状をした支持部材６に包含されている。放射線源５から発したγ線（以降、単に放射線と呼ぶ）は、支持部材６に設けられた窓を通過して、被検体側に出射することになる（図４参照）。被検体Ｍを透過した放射線は、検出器リング１２に入射する。したがって、放射線源５は、放射線を検出器リング１２の内壁に向けて照射することになる。支持部材６は、本発明の支持手段に相当する。
【００２９】
支持部材６は、検出器リング１２の中心軸Ｃを検出器リング１２から突出させて伸ばした延長線上の位置よりも検出器リング１２の径方向にシフトした位置（シフト位置）に放射線源５を支持する。したがって、検出器リング１２から見て放射線源５は、鉛直方向から外れた斜め方向に位置していることになる。
【００３０】
支柱７は、支持部材６を懸垂支持する目的で設けられている。支柱７は、床面から鉛直方向に伸びた柱状の部材で、先端に水平方向に伸びたアーム７ａを備えている。そのアーム７ａの先端には、支持部材６を懸垂する鉛直方向に伸びた軸７ｂを有している。放射線源５は、支持部材６を介して支柱７に支持されることになる。支持部材６の形状は、軸７ｂを中心とした回転体となっている。
【００３１】
支持部材６の内部には、放射線源５の他にカウンターバランス６ａを有している。このカウンターバランス６ａは、支持部材６の中心から見て放射線源５が設けられている側と反対側に設けられており、支持部材６の重心が支持部材６の中心にくるようにする目的で設けられている。
【００３２】
検出器リング１２の構成について説明する。検出器リング１２は、例えば８個の検出器１がｚ方向（中心軸方向）に垂直な平面上の仮想円に配列されることで、１つの単位リング１２ｂが形成される。この単位リング１２ｂがｚ方向に３個配列されて検出器リング１２が構成される（具体的には、図２参照）。検出器リング１２の中心軸は、鉛直方向に伸びている。このように、検出器リング１２は、放射線を検出する検出器１が弧状に配列されて構成される。
【００３３】
検出器１の構成について簡単に説明する。図３は、実施例１に係る放射線検出器の構成を説明する斜視図である。検出器１は、図３に示すように放射線を光に変換するシンチレータ２と、光を検出する光電子増倍管から構成される光検出器３とを備えている。そして、シンチレータ２と光検出器３との介在する位置には、光を授受するライトガイド４が備えられている。
【００３４】
シンチレータ２は、シンチレータ結晶が３次元的に配列されて構成されている。シンチレータ結晶は、Ｃｅが拡散したＬｕ２（１−Ｘ）Ｙ２ＸＳｉＯ５（以下、ＬＹＳＯとよぶ）によって構成されている。そして、光検出器３は、どのシンチレータ結晶が光を発したかという光の発生位置を特定することができるようになっているとともに、光の強度や、光の発生した時刻をも特定することができる。また、実施例１の構成のシンチレータ２は、採用しうる態様の例示にすぎない。したがって、本発明の構成は、これに限られるものではない。
【００３５】
同時計数部３１（図１参照）には、検出器リング１２から出力された検出信号が送られてきている。検出器リング１２に同時に入射した２つの放射線は、被検体内の放射性薬剤に起因する消滅放射線対である。同時計数部３１は、検出器リング１２を構成するシンチレータ結晶のうちの２つの組み合わせ毎に消滅放射線対が検出された回数をカウントし、この結果を画像生成部３２に送出する。
【００３６】
画像生成部３２は、同時計数部３１より出力される同時計数データを基に、検出器リング１２の開口部をある平面で裁断したときの断層画像Ｐを生成する。画像生成部３２は、同時計数データに後述のトランスミッション画像を参照して断層画像Ｐを生成する。
【００３７】
＜支持部材の回転について＞
乳房検診用放射線撮影装置１０には、支持部材６を回転させる支持部材回転機構１３と、支持部材回転機構１３を制御する支持部材回転制御部１４を備えている。支持部材６は、支持部材回転機構１３により軸７ｂを中心に自転することができる。従って、支持部材６の回転はしたとしても同じ領域に止まることになる。一方、支持部材６の内部に設けられた放射線源５は、支持部材６の回転に追従して円の軌道を描いて移動する。後述のカウンターバランス６ａも同様に、支持部材６の回転に追従して円の軌道を描いて移動する。この様に支持部材回転機構１３は、放射線源５を中心軸Ｃ周りに回転させるのである。支持部材回転機構１３は、本発明の回転手段に相当し、支持部材回転制御部１４は、本発明の回転制御手段に相当する。
【００３８】
支持部材６は回転体の形状となっている。したがって、支持部材６を回転させたとしても、支持部材６が術者など向かってくることがなく、内部の放射線源５を安全に回転させることができる。
【００３９】
ところで、放射線源５は重量物である。そこで、実施例１の構成によれば、支持部材６の内部にカウンターバランス６ａが設けられている。支持部材６の重心はカウンターバランス６ａによって調整されているので、支持部材回転機構１３は、支持部材６をスムーズに回転させることができる。このようにカウンターバランス６ａは、支持部材６が放射線源５を回転させるときのバランスをとる役割をしている。
【００４０】
図４は、被検体Ｍ，検出器リング１２および放射線源５との位置関係を説明する断面図である。検出器リング１２と支持部材６とは被検体Ｍを挟み込む位置に設けられている。すなわち、支持部材６は、被検体Ｍの上部に位置し、検出器リング１２は被検体Ｍの下部に位置しているのである。なお、図中の中心軸Ｃは、検出器リング１２の中心軸を表しており、支持部材６を回転自在に支持する軸７ｂもこの中心軸Ｃが通過する位置に設けられている。したがって、支持部材６は中心軸Ｃを中心に自転することになる。
【００４１】
放射線源５は、中心軸Ｃを基準として検出器リング１２の内壁よりも外側に設けられている。したがって中心軸Ｃから検出器リング１２の内壁までの距離よりも、中心軸Ｃから放射線源５（より正確には、内部の放射性物質）までの距離が長いことになる。この放射線源５には、放射線の照射を遮断するシャッター５ａが設けられている。シャッター５ａは、シャッター駆動機構２３によって駆動され、放射線の照射を許容したり放射線の照射を禁止したりする。シャッター制御部２４は、シャッター駆動機構２３を制御する目的で設けられている。
【００４２】
図５左側は、シャッター５ａが放射線の照射を許容している状態において、放射線源５から照射される放射線が検出器リング１２に入射する様子を表している。放射線は、中心軸Ｃ（垂直方向）から傾斜した方向に照射され、検出器リング１２の内壁の一部に入射する。このとき、放射線源５は、中心軸Ｃを基準として検出器リング１２の内壁よりも外側に設けられているので、放射線は、被検体Ｍの乳房Ｂを横切って検出器リング１２に入射することになる。放射線源５より発する放射線の広がりとしては、被検体Ｍの無用な放射線被曝を避ける観点から、検出器リング１２における内壁の上側から放射線がはみ出さないように十分に狭くすることが望ましい。同様に、放射線の広がりは、検出器リング１２における内壁の下側から放射線がはみ出さないように十分に狭くすることが望ましい。図５左側においては、放射線源５は、中心軸Ｃの左側にあり、放射線は右下に向けて照射され、検出器リング１２の右側の内壁に入射している。
【００４３】
放射線の照射は、支持部材６を回転させながら行う。図５右側は、図５左側の状態から支持部材６が１８０°回転した状態を表している。この場合においては、放射線源５は、中心軸Ｃの右側にあり、放射線は左下に向けて照射され、検出器リング１２の左側の内壁に入射している。この様に支持部材６を回転させながら放射線の照射を行うと、検出器リング１２の内壁の各部に順番に放射線が照射される。したがって、支持部材６を一回転すると、検出器リング１２の内壁の全てに放射線が照射されることになる。この様に構成することで、被検体Ｍの乳房Ｂのデータ収集を様々な角度から行うことができる。
【００４４】
放射線源５から放射線が照射されることによって取得される検出データは、検出器リング１２を通じて同時計数部３１に入力される。同時計数部３１は、検出データをそのまま画像生成部３２に送出する。検出データは被検体Ｍの乳房Ｂが放射線を吸収する様子を放射線の照射方向を変えながら取得されたものである。したがって、画像生成部３２は、既存のＣＴイメージング法を使用することにより、乳房Ｂの放射線の吸収の分布を表した断層画像を取得できる。このとき取得される断層画像は、トランスミッション画像と呼ばれるもので、放射性薬剤の分布を知る上で参照される中間画像である。画像生成部３２は、同時計数部３１から取得されたデータを画像化してエミッション画像を生成する。そして、画像生成部３２は、エミッション画像にトランスミッション画像を作用させることで、被検体内での放射線の吸収の影響を消去して断層画像Ｐを生成する。
【００４５】
＜アームの駆動について＞
実施例１の構成においては、アーム７ａが支柱７を中心に回動できるようになっている。そこで、このアーム７ａの回動についてより詳細に説明する。アーム７ａの回動は、アーム駆動機構２１により行われる（図１参照）。アーム駆動制御部２２は、アーム駆動機構２１を制御する目的で設けられている。
【００４６】
図６は、アーム７ａがアーム駆動機構２１により回動される様子を表している図であり、装置を鉛直下向きに見下ろしたときの図である。図６は、図４で説明したように、支持部材６が被検体Ｍの乳房Ｂの上部に位置する状態を表している。この状態からアーム７ａが回動されると、図７に示す状態となる。図７の状態においては、支持部材６は、被検体Ｍの上部から外れた位置にまで移動される。このように支持部材６を移動可能とすることにより、被検体Ｍが装置に乗り降りすることが容易となる。
【００４７】
＜検出器リングの移動および放射線源のシフト移動について＞
実施例１の検出器リング１２は、図８に示すように垂直方向に移動できるようになっている。この検出器リング１２の移動は、検出器リング移動機構１５により行われる（図１参照）。検出器リング移動制御部１６は、検出器リング移動機構１５を制御する目的で設けられている。検出器リング移動機構１５は、検出器リング１２を放射線源５に対して中心軸方向（鉛直方向）に移動させる。検出器リング移動機構１５は、本発明の移動手段に相当し、検出器リング移動制御部１６は、本発明の移動制御手段に相当する。
【００４８】
また、実施例１の放射線源５は、図８に示すように中心軸Ｃに接近・離反する方向にシフト移動することができる。放射線源５は、支持部材６の内部に位置していることからすると、放射線源５は、支持部材６の内部で移動することになる。このように、線源シフト機構１９は、放射線源５を検出器リング１２の径方向にシフトさせる。なお、放射線源５がシフト移動するとシャッター５ａもこれに追従して移動することになる。この放射線源５の移動は線源シフト機構１９により行われる（図１参照）。線源シフト制御部２０は、線源シフト機構１９を制御する目的で設けられている。線源シフト機構１９は、本発明の線源シフト手段に相当し、線源シフト制御部２０は、本発明の線源シフト制御手段に相当する。
【００４９】
また、放射線源５は、放射線の出射方向を調整できるようなっている。この放射線の出射方向の調整は、線源傾斜機構１７により行われる（図１参照）。線源傾斜制御部１８は、線源傾斜機構１７を制御する目的で設けられている。この線源傾斜機構１７の調整により、放射線の照射方向の中心軸Ｃに対する傾斜が調整される。したがって、線源傾斜機構１７は、鉛直方向および放射線源５から軸７ｂに向かう方向のいずれにも直交するとともに放射線源５を通過する軸を中心に放射線源５を回転させることにより放射線の照射方向を調整する。この放射線源５が傾斜される様子は、図８の破線により示されている。このように、線源傾斜機構１７は、中心軸Ｃに対する放射線源５の放射線照射方向の傾斜の程度を変更する。なお、放射線源５が傾斜するとシャッター５ａもこれに追従して傾斜することになる。線源傾斜機構１７は、本発明の傾斜駆動手段に相当し、線源傾斜制御部１８は、本発明の傾斜制御手段に相当する。
【００５０】
検出器リング移動制御部１６，線源シフト制御部２０，線源傾斜制御部１８は、同期して各部１５，１９，１７を制御する構成となっているので、その詳細について説明する。図９は、検出器リング１２が被検体Ｍから離反するように移動した場合の放射線源５の状態を表している。検出器リング移動制御部１６が検出器リング１２を移動させると、線源シフト制御部２０は、放射線源５を中心軸Ｃに近づくようにシフト移動させる。これに伴い、線源傾斜制御部１８は、放射線の照射方向と中心軸Ｃとのなす角が小さくなるように放射線源５を傾斜させる。これにより、放射線源５は、図９の斜線の位置から、実線の位置にまで移動される。この様に放射線源５が移動すると、放射線がより寝台８の深部までに届くことになる。移動後の放射線源５が発する放射線の照射方向としては、被検体Ｍの無用な放射線被曝を避ける観点から、検出器リング１２における内壁の上側または下側から放射線がはみ出さないようにすることが望ましい。なお、シャッター５ａも放射線源５に追従して移動する。
【００５１】
一方、検出器リング１２は、寝台８の深部の位置まで移動している。従って、検出器リング１２の内壁に放射線を入射させるには、放射線の照射方向を調整して放射線をより寝台８の深部まで届くようにしなければならない。この調整は、上述のように検出器リング１２の移動に合わせて線源シフト制御部２０，線源傾斜制御部１８が行う。これら制御部２０，１８により具体的にどのように調整がなされるかについては既に説明済みである。検出器リング１２および放射線源５は、図９のような位置関係となっている状態で、支持部材６が１回転される。この状態においてもトランスミッションデータが取得される。
【００５２】
このように、放射線の照射方向を変更しながらトランスミッションデータを取得できるようにすることで、乳房全体のデータ収集を確実に取得できる。
【００５３】
表示部３３は、画像生成部３２が生成した断層画像Ｐを表示させるものである。操作卓３４は、術者の指示を入力させる目的で設けられている。記憶部３５は、検出器リング１２が出力する検出信号、同時計数部３１が生成する同時計数データ、断層画像Ｐ等、各部の動作によって生じるデータ、および各部の動作に際して参照されるパラメータの一切を記憶するものである。
【００５４】
なお、乳房検診用放射線撮影装置１０は、各部を統括的に制御する主制御部４１を備えている。この主制御部４１は、ＣＰＵによって構成され、各種のプログラムを実行することにより、各部１４，１６，１８，２０，２２，２４，３１，３２を実現している。なお、上述の各部はそれらを担当する制御装置に分割されて実現されてもよい。
【００５５】
＜乳房用放射線撮影装置の動作＞
次に、実施例１に係る乳房検診用放射線撮影装置１０の動作について説明する。図１０は、装置の動作を説明するフローチャートである。乳房検診用放射線撮影装置１０を用いて検診を行うには、まず、被検体Ｍが天板８ａに載置される（被検体載置ステップＳ１）。このとき、予め支持部材６は、図７のように天板８ａから退避された状態となっている。したがって、被検体Ｍが天板８ａに配置する際に支持部材６が妨げとならない。本ステップを通じて被検体Ｍは、天板８ａに設けられた開口部に乳房Ｂを挿入した状態で腹ばいとなる。
【００５６】
術者が操作卓３４を通じてアーム７ａの回動を指示すると、アーム７ａが回動され、支持部材６が被検体Ｍの乳房Ｂの鉛直上側まで移動する（アーム回動ステップＳ２）。このようにして、被検体Ｍが検出器リング１２と支持部材６とに挟まれる位置に配置されることになる。図６は、本ステップが完了した状態を表している。
【００５７】
術者が操作卓３４を通じてトランスミッションデータの取得を指示すると、遮蔽状態となっていたシャッター５ａが解放され、放射線源５から放射線が被検体Ｍに向けて照射される（トランスミッションデータ取得ステップＳ３）。このとき被検体Ｍを通過してきた放射線は、検出器リング１２の内壁に入射し検出される。この放射線を検出している最中に支持部材６が回転され、トランスミッションデータの収集は、放射線の照射方向を変えながら行われる（図５参照）。
【００５８】
なお、この際、検出器リング１２を移動させながらトランスミッションデータの収集を行ってもよい。検出器リング１２の移動に伴い放射線源５は、移動および傾斜されることになる。
【００５９】
術者が操作卓３４を通じてエミッションデータの取得を指示すると、解放状態となっていたシャッター５ａが閉鎖され、放射線の照射が中止される。そして、被検体Ｍから照射される消滅放射線対の同時計数が開始される（エミッションデータ取得ステップＳ４）。検出器リング１２が検出した２つの放射線が消滅放射線対であるかは、同時計数部３１により判断される。
【００６０】
取得されたトランスミッションデータおよびエミッションデータは、画像生成部３２に送出される。画像生成部３２は、これらを基に断層画像Ｐを生成する（断層画像生成ステップＳ５）。取得された断層画像Ｐが、表示部３３に表示されて、検査は終了となる。
【００６１】
以上のように、上述の構成によれば、検出器リング１２の中心軸方向から検出器リング１２に配列する位置よりも検出器リング１２の径方向にシフトしたシフト位置に放射線源５が配置されている。このようにすることで、放射線源５を検出器リング１２の外部に配置することができる。従来の放射線断層撮影装置の構成を乳房用放射線撮影装置に応用してトランスミッションデータを取得するようにすると、検出器リング１２の内部に放射線源５を配置させなければならない。本発明によれば、検出器リング１２の内部に放射線源５を配置する必要がないので、検出器リング１２の内径を小さくでき、製造コストが抑制されるとともに空間分解能が高い乳房用放射線撮影装置が提供できる。
【００６２】
また、実施例１の構成は、検出器リング１２が中心軸方向に移動可能となっているとともに、中心軸Ｃに対する放射線源５の放射線照射方向の傾斜の程度を変更できる構成となっている。この様にすることで、トランスミッションデータ収集時において死角を無くすことができる。したがって、より確実にトランスミッションデータを取得できるようになる。
【００６３】
上述のように、放射線源５を検出器リング１２の径方向にシフトできるようにすれば、放射線の照射方向の自由度がより向上するので、より確実にトランスミッションデータを取得できるようになる。
【００６４】
また、放射線源５に放射線の照射を遮断するシャッター５ａを設けるようにすれば、被検体Ｍが無用に被曝することが抑制される。さらに、被検体内から発した消滅放射線対を検出し、エミッションデータを収集するときに放射線源５から発する放射線が確実に検出器リング１２に入射しないようにすることができる。
【００６５】
そして、放射線源５を回転させるときのカウンターバランス６ａを設けるようにすれば、より簡単に放射線源５を回転させることができる。
【００６６】
本発明は、上述の構成に限られず、下記のように変形実施することが可能である。
【００６７】
（１）上述した実施例のいうシンチレータ結晶は、ＬＹＳＯで構成されていたが、本発明においては、その代わりに、ＬＧＳＯ（Ｌｕ２（１−Ｘ）Ｇ２ＸＳｉＯ５）やＧＳＯ（Ｇｄ２ＳｉＯ５）などの他の材料でシンチレータ結晶を構成してもよい。本変形例によれば、より安価な放射線検出器が提供できる放射線検出器の製造方法が提供できる。
【００６８】
（２）上述した実施例において、光検出器は、光電子増倍管で構成されていたが、本発明はこれに限らない。光電子増倍管に代わって、フォトダイオードやアバランシェフォトダイオードや半導体検出器などを用いてもよい。
【００６９】
（３）上述した実施例において、検出器リング１２は、Ｏ型のリング状であったがこれに代えてＣ型の円弧状としてもよい。
【符号の説明】
【００７０】
Ｃ     中心軸
５     放射線源
５ａ   シャッター
６     支持部材（支持手段）
６ａ   カウンターバランス
１２   検出器リング
１３   支持部材回転機構（回転手段）
１４   支持部材回転制御部（回転制御手段）
１５   検出器リング移動機構（移動手段）
１６   検出器リング移動制御部（移動制御手段）
１７   線源傾斜機構（傾斜駆動手段）
１８   線源傾斜制御部（傾斜制御手段）
１９   線源シフト機構（線源シフト手段）
２０   線源シフト制御部（線源シフト制御手段）
【図１】
0006024196.tif 000002
【図２】
0006024196.tif 000003
【図３】
0006024196.tif 000004
【図４】
0006024196.tif 000005
【図５】
0006024196.tif 000006
【図６】
0006024196.tif 000007
【図７】
0006024196.tif 000008
【図８】
0006024196.tif 000009
【図９】
0006024196.tif 000010
【図１０】
0006024196.tif 000011
【図１１】
0006024196.tif 000012